(57)【特許請求の範囲】
【請求項１】
基板上に発光素子をそれぞれ含む複数の光源部が搭載された複数の発光素子モジュールが配設されて面状に光照射する光源装置において、
平面視で複数の光源部が行方向と列方向にマトリクス状に配置されて、行毎および列毎のうちのいずれかのみに、狭い配光特性の光源部と広い配光特性の光源部とが交互に配置されており、該光源部は共に、その上面中央部から周囲に離れるほど発光輝度が小さく、
前記狭い配光特性の光源部が明暗コントラスト差が大きい光源部であり、前記広い配光特性の光源部が明暗コントラスト差が小さい光源部であり、
前記光源部は、前記発光素子に加えて、該発光素子の周囲の基板領域上に設けられた反射材を有し、前記明暗コントラスト差が大きい光源部と該明暗コントラスト差が小さい光源部は、該反射材の反射率の違いにより構成されている光源装置。
【請求項２】
請求項１に記載の光源装置において、
前記明暗コントラスト差が大きい一または複数の光源部を有する発光素子モジュールと該明暗コントラスト差が小さい一または複数の光源部を有する発光素子モジュールとが交互に配置されている光源装置。
【請求項３】
請求項１に記載の光源装置において、
前記発光素子モジュールには、前記明暗コントラスト差が大きい光源部と該明暗コントラスト差が小さい光源部とが交互に配置されている光源装置。
【請求項４】
請求項１に記載の光源装置において、
前記発光素子毎にレンズが搭載され、前記発光素子の周囲の基板領域は、該レンズ直下の基板領域である光源装置。
【請求項５】
請求項１に記載の光源装置において、
前記狭い配光特性の光源部が配光角度が狭い光源部であり、前記広い配光特性の光源部が配光角度が広い光源部である光源装置。
【請求項６】
請求項５に記載の光源装置において、
前記配光角度が狭い一または複数の光源部を有する発光素子モジュールと、該配光角度が広い一または複数の光源部を有する発光素子モジュールとが交互に配置されている光源装置。
【請求項７】
請求項５に記載の光源装置において、
前記発光素子モジュールには、前記配光角度が狭い光源部と該配光角度が広い光源部とが交互に配置されている光源装置。
【請求項８】
請求項５〜７のいずれかに記載の光源装置において、
前記光源部は、前記発光素子および、該発光素子毎に搭載されたレンズを有し、前記配光角度が狭い光源部と該配光角度が広い光源部は、該レンズの複数の主柱部の長さ、該レンズの厚さおよびその形状のうちの少なくともいずれかの違いにより構成されている光源装置。
【請求項９】
基板上に発光素子をそれぞれ含む複数の光源部が搭載された複数の発光素子モジュールが配設されて面状に光照射する光源装置において、
平面視で複数の光源部が行方向と列方向にマトリクス状に配置されて、行毎および列毎のうちのいずれかのみに、狭い配光特性の光源部と広い配光特性の光源部とが交互に配置されており、該光源部は共に、その上面中央部から周囲に離れるほど発光輝度が小さく、
前記狭い配光特性の光源部が配光角度が狭い光源部であり、前記広い配光特性の光源部が配光角度が広い光源部であり、
前記光源部は、前記発光素子を有し、前記配光角度が狭い光源部と該配光角度が広い光源部は、該発光素子の一または複数の発光部の高さの違いにより構成されている光源装置。
【請求項１０】
基板上に発光素子をそれぞれ含む複数の光源部が搭載された複数の発光素子モジュールが配設されて面状に光照射する光源装置において、
平面視で複数の光源部が行方向と列方向にマトリクス状に配置されて、行毎および列毎のうちのいずれかのみに、狭い配光特性の光源部と広い配光特性の光源部とが交互に配置されており、該光源部は共に、その上面中央部から周囲に離れるほど発光輝度が小さく、
前記狭い配光特性の光源部が配光角度が狭い光源部であり、前記広い配光特性の光源部が配光角度が広い光源部であり、
前記光源部は、前記発光素子を有し、前記配光角度が狭い光源部と該配光角度が広い光源部は、該発光素子から光が出射される封止部の形状の違いにより構成されている光源装置。
【請求項１１】
請求項１に記載の光源装置において、
２次元状に配置された前記複数の発光素子の上部に光拡散手段を配置し、該複数の発光素子からの光を該光拡散手段に透過させると共に、該光拡散手段による光の拡散、多重反射および再帰反射の効果により該複数の発光素子からの光を更に平面状に広げ、得られた光の広がりパターンの重ね合わせにより輝度的に平坦な特性の面発光を得るように構成されている光源装置。
【請求項１２】
請求項１〜１１のいずれかに記載の光源装置が液晶パネルの背面側に設けられてバックライトとして用いられた液晶表示装置。
【発明の詳細な説明】
【技術分野】
【０００１】
本発明は、光源部として複数の発光ダイオード（ＬＥＤ）が実装されたＬＥＤモジュールなどが複数用いられた光源装置および、この光源装置がバックライトとして用いられた液晶表示装置に関する。
【背景技術】
【０００２】
この種の従来の液晶表示装置は、透過型液晶パネルを有し、この透過型液晶パネルの背後にバックライトを有している。バックライトとして使用される光源装置は、従来はＣＣＦＬ（冷陰極蛍光ランプ）が主流であったが、近年のＬＥＤの技術進歩により、ＣＣＦＬに代ってＬＥＤを光源部として利用することが有望視されている。
【０００３】
特許文献１では、直下型のＬＥＤバックライトにおいて、光学レンズの支柱部およびその接着樹脂が発光素子からの光を遮ることにより発生する影同士が重なり合うことに起因する筋状の輝度ムラを抑制する手法をとっているが、光拡散レンズは全て同じもので揃えている。
【０００４】
図１１は、特許文献１に開示されている発光素子を搭載した従来の発光素子モジュールの要部構成例を示す縦断面図である。図１２は、図１１の発光素子モジュールが複数搭載された面発光ユニットにおける光学レンズの配置例を示す平面図である。
【０００５】
図１１に示すように、発光素子モジュール１００において、基板１０１上には、発光素子としてＬＥＤを搭載した発光素子部品１０２がそれぞれ、一列または複数列に複数個搭載されている。
【０００６】
基板１０１は、例えば、布状または不織布状のガラス繊維や有機繊維などに樹脂（エポキシ樹脂、シアネート樹脂など）を含浸させて形成された基材１０１ａ上に、配線処理が施されている。基板１０１の最表面には白色の絶縁材料（白レジストなど）１０１ｂが、配線におけるランド部を除く領域上を覆うように形成されている。基板１０１の最表面を白色の絶縁材料１０１ｂで覆うことにより、配線の保護に加え、発光素子からの光の反射率を高め、表示エリア内への光照射量を高めることができる。なお、反射シートを別に基板表面に設ける場合は通常のソルダレジストでも構わない。
【０００７】
発光素子部品１０２は、セラミックなどの部品基板１０２ａ上にＬＥＤチップ（図示せず）が１個または複数個搭載され、ワイヤ（図示せず）などにより部品基板１０２ａに電気的に接続され、ＬＥＤチップとワイヤが封止樹脂１０２ｂにより封止されて構成されている。封止樹脂１０２ｂにはシリコン系などの透明樹脂が用いられ、必要に応じて蛍光体などが添加されている。
【０００８】
基板１０１上には、絶縁材料１０１ｂで覆われていない開口部１０１ｄを有しており、この開口部１０１ｄにおいて、光学レンズ１０３と基板１０１の基材１０１ａとが接着樹脂１０４により固定されている。
【０００９】
開口部１０１ｄのサイズは、光学レンズ１０３の支柱部１０３ａの底面サイズと同じか、それよりも僅かに大きくする。このように、支柱部１０３ａの底面サイズと同じか僅かに大きいサイズの開口部１０１ｄを設けることにより、接着樹脂１０４の位置決めを容易にし、樹脂量の管理も容易となる。接着樹脂１０４の量が多すぎると、接着樹脂１０４が光学レンズ１０３のレンズ部１０３ｂの底面へ這い上ることにより、または、基板１０１面上に開口部１０１ｄを超えて広がることにより、レンズ部１０３ｂの底面または支柱部１０３ａにおいて透過光の遮りや吸収が生じ、発光素子からの光の拡散に影響が生じる場合がある。
【００１０】
光学レンズ１０３の中央部には、発光素子部品１０２を下方から一部収納するための窪み部１０３ｃが形成されており、発光素子部品１０２が密閉されずに、発光素子部品１０２と窪み部１０３ｃの間に空気の層を有していることにより、発光素子部品１０２の放熱性を良くしている。
【００１１】
また、従来の面発光ユニット１１０において、図１２に示すように、互いに隣接する光学レンズ１０３の支柱部１０３ａおよび接着樹脂１０４が、互いに隣接する発光素子部品１０２の中心同士を結ぶ縦方向の直線Ｌ１および横方向の直線Ｌ２上を共通に避けるように配置されている。これによって、互いに隣接する光学レンズ１０３の支柱部１０３ａおよび接着樹脂１０４が発光素子からの光を遮ることで発生する影同士が重なり合わないので、筋状の輝度ムラの発生が抑制される。
【先行技術文献】
【特許文献】
【００１２】
【特許文献１】特開２０１１−４０３７６号公報
【発明の概要】
【発明が解決しようとする課題】
【００１３】
特許文献１に開示されている上記従来の面発光ユニット１１０では、図１２に示すように、光拡散レンズ１０３がマトリクス状で縦横アレイ状に配置した場合に、多数の発光素子部品１０２の個々の光の広がりが、隣同士の光拡散レンズ１０３の光とつながり、バックライト全体として縦スジおよび横スジや斜めスジ状の一定のパターンとなる発光ムラとして発生し易い。特に、画面全体に渡って発生した筋状の発光ムラは人の目に付きやすく、表示品位を落とす原因になっている。
【００１４】
近接位置に連続して発生する同種のムラは、この近接位置よりも離れた場所で発生する同種のムラよりも、同じ輝度差であっても人の目にはムラのパターンとして気が付きやすい。
【００１５】
また、発光素子と光拡散シートとの間隔を性能限界まで狭めるかまたは、平面搭載する発光素子のピッチ間隔を性能限界まで広げた場合、単一の配光特性だけの従来の構成では、発光素子モジュールの製造上のばらつきからくる特性の偏り方によっては、発光素子を中心とした周辺部分への光の広がり方が不足し、平面状で発光素子と発光素子の中間地点の輝度が相対的に低下し、発光素子直上の輝度が相対的に上がることにより生じる格子状のムラが表示品質を損なうという課題が生じていた。
【００１６】
本発明は、上記従来の問題を解決するもので、面光源の輝度ムラを抑制して面光源の表示品位を向上させることができる光源装置およびこれを用いた液晶表示装置を提供することを目的とする。
【課題を解決するための手段】
【００１７】
本発明の光源装置は、基板上に一または複数の発光素子が搭載された複数の発光素子モジュールが配設されて面状に光照射する光源装置において、第１のムラが生じる光源部と第２のムラが生じる光源部とが交互に配置されて、該第１のムラと該第２のムラとが互いに緩和されるように構成されているものであり、そのことにより上記目的が達成される。
【００１８】
また、好ましくは、本発明の光源装置において、平面視で複数の光源部が行方向と列方向にマトリクス状に配置された場合に、行毎または列毎に、明部による格子状ムラが生じる光源部と明部による斜め状ムラが生じる光源部とが交互に配置されている。
【００１９】
本発明の光源装置は、基板上に一または複数の発光素子が搭載された複数の発光素子モジュールが配設されて面状に光照射する光源装置において、平面視で複数の光源部が行方向と列方向にマトリクス状に配置された場合に、行毎または列毎に、狭い配光特性の光源部と広い配光特性の光源部とが交互に配置されているものであり、そのことにより上記目的が達成される。
【００２０】
また、好ましくは、本発明の光源装置において、平面視で複数の光源部が行方向と列方向にマトリクス状に配置された場合に、行毎または列毎に、明暗コントラスト差が大きい光源部と明暗コントラスト差が小さい光源部とが交互に配置されている。
【００２１】
さらに、好ましくは、本発明の光源装置において、明暗コントラスト差が大きい一または複数の光源部を有する発光素子モジュールと明暗コントラスト差が小さい一または複数の光源部を有する発光素子モジュールとが交互に配置されている。
【００２２】
さらに、好ましくは、本発明の光源装置における発光素子モジュールには、明暗コントラスト差が大きい光源部と明暗コントラスト差が小さい光源部とが交互に配置されている。
【００２３】
さらに、好ましくは、本発明の光源装置における光源部は、前記発光素子に加えて、該発光素子の周囲の基板領域上に設けられた反射材を有し、明暗コントラスト差が大きい光源部と明暗コントラスト差が小さい光源部は、該反射材の反射率の違いにより構成されている。
【００２４】
さらに、好ましくは、本発明の光源装置における発光素子毎にレンズが搭載され、前記発光素子の周囲の基板領域は、該レンズ直下の基板領域である。
【００２５】
さらに、好ましくは、本発明の光源装置における平面視で複数の光源部が行方向と列方向にマトリクス状に配置された場合に、行毎または列毎に、配光角度が狭い光源部と該配光角度が広い光源部とが交互に配置されている。
【００２６】
さらに、好ましくは、本発明の光源装置における配光角度が狭い一または複数の光源部を有する発光素子モジュールと、該配光角度が広い一または複数の光源部を有する発光素子モジュールとが交互に配置されている。
【００２７】
さらに、好ましくは、本発明の光源装置における発光素子モジュールには、前記配光角度が狭い光源部と該配光角度が広い光源部とが交互に配置されている。
【００２８】
さらに、好ましくは、本発明の光源装置における光源部は、前記発光素子および、該発光素子毎に搭載されたレンズを有し、前記配光角度が狭い光源部と該配光角度が広い光源部は、該レンズの複数の主柱部の長さ、該レンズの厚さおよび形状のうちの少なくともいずれかの違いにより構成されている。
【００２９】
さらに、好ましくは、本発明の光源装置における光源部は、前記発光素子を有し、前記配光角度が狭い光源部と該配光角度が広い光源部は、該発光素子の一または複数の発光部の高さの違いにより構成されている。
【００３０】
さらに、好ましくは、本発明の光源装置における光源部は、前記発光素子を有し、前記配光角度が狭い光源部と該配光角度が広い光源部は、該発光素子から光が出射される封止部の形状の違いにより構成されている。
【００３１】
さらに、好ましくは、本発明の光源装置における
本発明の液晶表示装置は、本発明の上記光源装置が液晶パネルの背面側に設けられてバックライトとして用いられたものであり、そのことにより上記目的が達成される。
【００３２】
上記構成により、以下、本発明の作用を説明する。
【００３３】
本発明においては、基板上に一または複数の発光素子が搭載された複数の発光素子モジュールが配設されて面状に光照射する光源装置において、平面視で複数の光源部が行方向と列方向にマトリクス状に配置された場合に、行毎または列毎に、狭い配光特性の光源部と広い配光特性の光源部とが交互に配置されている。
【００３４】
これによって、狭い配光特性の光源部と広い配光特性の光源部とを交互に配置するので、発光素子を通る光軸上の発光輝度が大きく、光軸から離れた裾部での発光輝度が小さい光源部と、発光素子を通る光軸上の発光輝度が、当該光源部での光軸上の発光輝度よりも小さく、光軸から離れた裾部での発光輝度が、当該光源部の光軸から離れた裾部での発光輝度よりも大きい光源部とを組み合せることによって光源部間の発光輝度低下が緩和され、結果的に光源部直上と光源部間の輝度差が緩和される。これによって、面光源の輝度ムラを抑制して面光源の表示品位を向上させることが可能となる。
【００３５】
また、光源部直上と光源部間の輝度差が緩和されて画面上での輝度ムラが抑制されることから、発光素子のピッチ間隔を広げることもでき、結果的に、発光素子を含む光源部の数をも削減される。
【発明の効果】
【００３６】
以上により、本発明によれば、発光素子を通る光軸上の発光輝度が大きく、光軸から離れた裾部での発光輝度が小さい光源部と、発光素子を通る光軸上の発光輝度が、当該光源部での光軸上の発光輝度よりも小さく、光軸から離れた裾部での発光輝度が、当該光源部の光軸から離れた裾部での発光輝度よりも大きい光源部とを組み合せることによって光源部間の発光輝度低下が緩和され、結果的に光源部直上と光源部間の輝度差が緩和されるため、人間の視覚的な画面上での輝度ムラを抑制することができて、面光源の表示品位を向上させることができる。
【００３７】
また、このように、光源部直上と光源部間の輝度差が緩和されて画面上での輝度ムラを抑制することができるため、発光素子のピッチ間隔を広げることもでき、結果的に、光源部の数を減らすこともできる。
【図面の簡単な説明】
【００３８】
【図１】本発明の実施形態１におけるＬＥＤ光源装置のＬＥＤモジュール配置例を模式的に示す平面図である。
【図２】図１のＬＥＤ光源装置を組み込んだ液晶表示装置の要部構成例を模式的に示すＡＡ’部分の縦断面図およびこれに対応した位置に応じた輝度を示す図である。
【図３】白レジストの反射率によって輝度が低く設定されたＬＥＤモジュールだけを配置した場合の光拡散レンズの位置と輝度の明暗部を模式的に示す平面図である。
【図４】白レジストの反射率によって輝度が高く設定されたＬＥＤモジュールだけを配置した場合の光拡散レンズの位置と輝度の明暗部を模式的に示す平面図である。
【図５】輝度ピーク値が高く明暗コントラスト差が大きいＬＥＤモジュールと輝度ピーク値が低く明暗コントラスト差が小さいＬＥＤモジュールを基板単位で交互に配置する本実施形態１の場合の光拡散レンズの位置と輝度の明暗部を模式的に示す平面図である。
【図６】図１のＬＥＤ光源装置における３個のＬＥＤモジュールの配置例を模式的に示す平面図である。
【図７】本発明の実施形態２におけるＬＥＤ光源装置を組み込んだ液晶表示装置の要部構成例を模式的に示す一部縦断面図およびこれに対応した位置に応じた輝度を示す図である。
【図８】配光角度が狭い光源部を説明するための液晶表示装置の要部構成例を模式的に示す一部縦断面図である。
【図９】配光角度が広い光源部を説明するための液晶表示装置の要部構成例を模式的に示す一部縦断面図である。
【図１０】（ａ）は、本発明の実施形態２におけるＬＥＤ光源装置の変形例を組み込んだ液晶表示装置を示す一部縦断面図であり、（ｂ）はＬＥＤ内の発光部の高さｄ１の場合のＬＥＤの側面図、（ｃ）は（ｂ）の発光部の高さｄ１よりも低い発光部の高さｄ２の場合のＬＥＤの側面図である。
【図１１】特許文献１に開示されている発光素子を搭載した従来の発光素子モジュールの要部構成例を示す縦断面図である。
【図１２】図１１の発光素子モジュールが複数搭載された面発光ユニットにおける光学レンズの配置例を示す平面図である。
【発明を実施するための形態】
【００３９】
以下に、本発明の光源装置の実施形態１〜４として各ＬＥＤ光源装置を透過型液晶パネルに適用した場合について図面を参照しながら詳細に説明する。なお、各図における構成部材のそれぞれの厚みや長さなどは図面作成上の観点から、図示する構成に限定されるものではない。
【００４０】
（実施形態１）
図１は、本発明の実施形態１におけるＬＥＤ光源装置のＬＥＤモジュール配置例を模式的に示す平面図である。
【００４１】
図１において、本実施形態１のＬＥＤ光源装置１は、複数のＬＥＤモジュール２により構成され、通常は多数列であるが、ここでは便宜的に横方向に５列に、短冊状のＬＥＤモジュール２が２個づつ配列されている。なお、横方向５列の短冊状のＬＥＤモジュール２のうち、画面中央部の輝度向上のために、ここでは明確に図示していないが、中央３列の短冊状のＬＥＤモジュール２はその縦方向の配列ピッチを密状態にして中央側のＬＥＤ４が多少密になるように配列されている。
【００４２】
各ＬＥＤモジュール２はそれぞれ、プリント配線基板３とその上に搭載された複数個（ここでは５個）直列のＬＥＤ４とを有している。一列の各ＬＥＤモジュール２は、複数個（ここでは左右２個）のＬＥＤモジュール２で構成され、左右２個のＬＥＤモジュール２はＬＥＤ４の配列ピッチが均等になるように、左右２個のＬＥＤモジュール２間を詰めて配置されている。これによって、複数のＬＥＤ４は縦横方向に等間隔にマトリクス状に配列される。各ＬＥＤ４上をそれぞれ覆って、ＬＥＤ４からの光を拡散するための光拡散レンズ５がＬＥＤ４毎に上から取り付けられている。この場合、光拡散レンズ５は、３本の支柱部５ａを下にして、プリント配線基板３上にＬＥＤ４上を覆って実装される。光拡散レンズ５の３本の支柱部５ａがプリント配線基板３上に当接して接着剤（図示せず）などで固定される。光拡散レンズ５のレンズ底面には拡散パターン５ｂ（ここでは４角錐）が形成されている。
【００４３】
反射シート６には、ＬＥＤ４上に装着された光拡散レンズ５がＬＥＤ４と共に貫通する穴が、ＬＥＤ４の個数分だけ複数、所定の配置位置に開いている。反射シート６の複数の貫通穴を、各ＬＥＤモジュール２上に装着されたＬＥＤ４と共に光拡散レンズ５が反射シートの穴の背面側から貫通した状態で複数のプリント配線基板３と反射シート６とがその下方のシヤーシ（図示せず）に固定されている。複数個のＬＥＤ４からの光が各光拡散レンズ５を通って反射シート６により反射されて前方に光出射されるようになっている。これによって、ＬＥＤ光源装置１は拡散された面光源とされる。反射シート６の画面周辺部（画面周辺額縁部）は、前方に開くように長尺状の縦横４面が傾斜面６ａでそれぞれ構成されている。
【００４４】
本実施形態１の特徴構成は、平面視で複数の光源部が行方向と列方向にマトリクス状に配置された場合に、行毎または列毎に、詳細に後述する輝度ピーク値が高く明暗コントラスト差が大きい光源部と輝度ピーク値が低く明暗コントラスト差が小さい光源部とを交互に配置している。即ち、詳細に後述するが、本実施形態１の特徴構成は、輝度ムラを低減するように、光源部光の輝度ピーク値が高く明暗コントラスト差が大きい発光素子モジュール２Ａと光源部光の輝度ピーク値が低く明暗コントラスト差が小さい発光素子モジュール２Ｂとが交互に配置されている。ここで、光源部は、ＬＥＤ４および光拡散レンズ５に加えて、詳細に後述するが、光拡散レンズ５直下の基板領域（ＬＥＤ４の周囲の基板領域）上に設けられた反射材としての白レジスト６Ａ，６Ｂを有し、輝度ピーク値が高く明暗コントラスト差が大きい（狭い配光特性）光源部と輝度ピーク値が低く明暗コントラスト差が小さい（広い配光特性）光源部は、白レジスト６Ａ，６Ｂの反射率の違いにより構成されている。
【００４５】
図２は、図１のＬＥＤ光源装置１を組み込んだ液晶表示装置の要部構成例を模式的に示すＡＡ’部分の縦断面図およびこれに対応した位置に応じた輝度を示す図である。ここでは、３つのＬＥＤモジュール２の幅方向（ＡＡ’方向）に跨って示している。
【００４６】
図２において、本実施形態３の液晶表示装置２０は、各プリント配線基板３上に複数個のＬＥＤ４が配列され、各ＬＥＤ４上をそれぞれ覆うように前述の光拡散レンズ５がそれぞれ設けられたＬＥＤモジュール２が複数個、配列されて面発光するＬＥＤバックライトである本実施形態１のＬＥＤ光源装置１と、ＬＥＤ光源装置１の上方を１枚の反射シート６から距離Ｄだけ開けて設けられ、光ムラを抑制するための光拡散シートおよびプリズムシートなどを含む光学シート２１と、その上に設けられ、表示信号に基づいて液晶画像表示を可能とする液晶表示画面の光透過型液晶パネル２２とを有し、ＬＥＤ光源装置１が光透過型液晶パネル２２の背面側に設けられてバックライトとして用いられている。
【００４７】
光拡散レンズ５を通す穴が反射シート６に開いているため、光拡散レンズ５の直下の円形状のプリント配線基板３上は反射シート６が設けられていない。光の利用効率を上げるために、光拡散レンズ５の直下の円形状のプリント配線基板３上には白レジスト６Ａ，６Ｂ（塗料）が塗布される。白レジスト６Ａ，６Ｂの反射率は例えば８１〜８５パーセントである。この白レジスト６Ａ，６Ｂは、プリント配線基板３の製造時に配線保護を兼ねて塗布されている。この白レジスト６Ａ，６Ｂは、電気的接続が必要な配線ランド部や光拡散レンズ５の支柱部５ａが基材に当接する部分以外に塗布される。光拡散レンズ５の直下のプリント配線基板３上の円形状の白レジスト６Ａ，６Ｂは、光拡散レンズ５の直下の位置にあることから、光拡散レンズ５の上方の輝度に直接影響し易い。
【００４８】
光源部から一旦放出された光のうち、光拡散シートなどの光学シート２１で反射され光源部側に戻る光の一部が光拡散レンズを通じて基材表面に塗布された白レジスト６で反射され、再度、光拡散レンズ５に入射した光が光拡散レンズ５の中心に集中する傾向にあるため、白レジスト６Ａ、６Ｂの反射率の大小によって光源から放出される光の配光特性（光の拡がり/輝度分布）が変わってくる。例えば、白レジスト６Ａの反射率を８５パーセントとし、白レジスト６Ｂの反射率を８１パーセントとした場合、白レジスト６Ａの直上の光拡散レンズ５の中心上方の輝度が、白レジスト６Ｂの場合に比べて盛り上がって高くなる。この場合、光拡散レンズ５の中心の周りが輝度差によって明るく見える。また、白レジスト６Ｂの直上の光拡散レンズ５の中心上方の輝度が、白レジスト６Ａの場合に比べて低くなっている。この場合、全体的に暗くなるが明るさの差が少なくなっている。一方、光拡散レンズ５の中心から離れた位置における輝度は、白レジスト６Ａの場合よりも白レジスト６Ｂの場合の方が大きくなる。つまり、白レジストの反射率を上げると光拡散レンズの中心上の輝度が高いが、光拡散レンズの中心周りの周囲との輝度差は大きく、単独の光源としては明暗コントラスト大きい光源となる。逆に、白レジストの反射率を下げると光拡散レンズの中心上の輝度が低いが、光拡散レンズの中心周りの周囲との輝度差は小さく、単独の光源としては明暗コントラスト小さい光源となる。
【００４９】
白レジスト６Ａ，６Ｂの反射率をプリント配線基板３の単位で変えて、白レジスト６Ａの反射率（ここでは例えば８５パーセント、すなわち反射率の高い白レジスト６Ａとする）によって輝度が高く設定されたＬＥＤモジュール２Ａと、白レジスト６Ｂの反射率（ここでは例えば８１パーセント、すなわち反射率の低い白レジスト６Ｂとする）によって輝度が低く設定されたＬＥＤモジュール２Ｂとを基板単位で交互に配置する。これによって、輝度ピーク値が高く明暗コントラスト差が大きいＬＥＤモジュール２Ａだけで配置した場合には、ＬＥＤ４および光拡散レンズ５の配置ピッチＰ、例えば５０ｍｍで輝度のピークが存在することになるが、輝度ピーク値が高く明暗コントラスト差が大きいＬＥＤモジュール２Ａの間に、輝度ピーク値が低く明暗コントラスト差が小さいＬＥＤモジュール２Ｂが配置されることによって、配置ピッチＰとして５０ｍｍの倍の１００ｍｍで輝度のピークが存在して輝度ピーク位置が離れると共に、隣接する光拡散レンズ５間の輝度低下部の差を、輝度ピーク値が低く明暗コントラスト差が小さいＬＥＤモジュール２Ｂが緩和して輝度ムラを抑制することができる。
【００５０】
平面上で２次元状に配置された一または複数のＬＥＤ４、その上を覆う光拡散レンズ５および光拡散レンズ５直下の白レジスト６Ａまたは６Ｂからなる光源部の上部に光拡散手段としての光学シート２１を配置し、一または複数の光源部からの光を光学シート２１に透過させると共に、光学シート２１による光の拡散、多重反射および再帰反射の効果により一または複数の光源部からの光を更に平面状に広げ、得られた光の広がりパターンの重ね合わせにより輝度的に平坦な特性の面発光を得ている。
【００５１】
ここで、本実施形態１の輝度ムラ抑制原理についてさらに具体的に説明する。
【００５２】
図３は、白レジスト６Ｂの反射率によって輝度が低く設定されたＬＥＤモジュール２Ｂだけを配置した場合の光拡散レンズ５の位置と輝度の明暗部を模式的に示す平面図である。
【００５３】
図３に示すように、輝度ピーク値が低く明暗コントラスト差が小さいＬＥＤモジュール２Ｂの場合には、平面視において、互いに隣接する光拡散レンズ５の上下方向および左右方向の間では輝度差が少ないために輝度ムラは少ないが、互いに隣接する光拡散レンズ５の斜め方向の間では輝度ピーク位置が離れる分だけ輝度差が生じて暗部７となる。これによって、光拡散レンズ５間の斜め方向に暗部７による輝度ムラが生じる。逆に、明部８による格子ムラとなる。
【００５４】
図４は、白レジスト６Ａの反射率によって輝度が高く設定されたＬＥＤモジュール２Ａだけを配置した場合の光拡散レンズ５の位置と輝度の明暗部を模式的に示す平面図である。
【００５５】
図４に示すように、輝度ピーク値が高く明暗コントラスト差が大きいＬＥＤモジュール２Ａの場合には、平面視において、互いに隣接する光拡散レンズ５の上下方向および左右方向の間では輝度差が多くなるために輝度ムラが多く暗部７に見えるが、互いに隣接する光拡散レンズ５の斜め方向の間では輝度ピーク位置が離れる分だけ輝度差が少なくなると共に互いに光が重なって暗部７とならない。これによって、光拡散レンズ５間の斜め方向に明部８による輝度ムラが生じる。逆に、暗部７による格子ムラとなる。
【００５６】
図５は、輝度ピーク値が高く明暗コントラスト差が大きいＬＥＤモジュール２Ａと輝度ピーク値が低く明暗コントラスト差が小さいＬＥＤモジュール２Ｂを基板単位で交互に配置する本実施形態１の場合の光拡散レンズ５の位置と輝度の明暗部を模式的に示す平面図である。
【００５７】
図５に示すように、輝度ピーク値が高く明暗コントラスト差が大きいＬＥＤモジュール２Ａと輝度ピーク値が低く明暗コントラスト差が小さいＬＥＤモジュール２Ｂを基板単位で交互に配置することにより、図３の暗部７および明部８と、図４の明部８および暗部７とが互いに重なって暗部７と明部８の輝度が平均化されて輝度ムラが大幅に抑制されて明部８となる。平面視で複数の光源部が行方向と列方向にマトリクス状に配置される場合に、行毎または列毎に、明部による格子状ムラが生じる光源部と明部による斜め状ムラが生じる光源部とが交互に配置されている。要するに、第１のムラが生じる光源部と第２のムラが生じる光源部とが交互に配置されて、第１のムラと第２のムラとが互いに相殺されて緩和されるように構成されている。第１のムラとしての明部による格子状ムラが生じる光源部を複数有するＬＥＤモジュールは、輝度ピーク値が低く明暗コントラスト差が小さい光源部を複数有するＬＥＤモジュール２Ｂが対応している。また、第２のムラとしての明部による斜め状ムラが生じる光源部は、輝度ピーク値が高く明暗コントラスト差が大きい光源部を複数有するＬＥＤモジュール２Ａが対応している。この場合、光源部は、発光素子としてのＬＥＤ４および光拡散レンズ５に加えて、光拡散レンズ５直下のプリント配線基板３上に設けられた反射材としての白レジスト６Ａまたは６Ｂを有し、輝度ピーク値が高く明暗コントラスト差が大きい光源部と輝度ピーク値が低く明暗コントラスト差が小さい光源部は、白レジスト６Ａまたは６Ｂの反射率の違いにより構成されている。
【００５８】
図６はこの場合を示している。図６では、輝度の異なるＬＥＤモジュール２ＡとＬＥＤモジュール２Ｂを交互に配置している。ＬＥＤモジュール２ＡとＬＥＤモジュール２Ｂ間で、白レジスト６Ａ，６Ｂの反射率を異ならせている。この場合、同一基板上で、輝度ピーク値が高く明暗コントラスト差が大きいＬＥＤモジュール２Ａの光拡散レンズ５間には暗部７Ａが生じ、この暗部７Ａは発光部間で輝度差が大きく、光低下が大きい部分である。輝度ピーク値が低く明暗コントラスト差が小さいＬＥＤモジュール２Ｂの光拡散レンズ５間には暗部７Ｂが生じるが、この暗部７Ｂは発光部間で輝度差が低く、光低下が小さい部分であって輝度ムラが少ない。なお、これらのＬＥＤモジュール２ＡとＬＥＤモジュール２Ｂはシャーシ９（筐体）に固定されている。
【００５９】
以上により、本実施形態１のＬＥＤ光源装置１によれば、輝度ピーク値が高く明暗コントラスト差が大きい一または複数の光源部を有するＬＥＤモジュール２Ａと、輝度ピーク値が低く明暗コントラスト差が小さい一または複数の光源部を有するＬＥＤモジュール２Ｂとが交互に配置されている。この一または複数の光源部は、ＬＥＤ４の周囲の基板領域（光拡散レンズ５直下の基板領域）上に設けられた反射材としての白レジスト６Ａ，６Ｂを有し、輝度ピーク値が高く明暗コントラスト差が大きい光源部と輝度ピーク値が低く明暗コントラスト差が小さい光源部は、白レジスト６Ａ，６Ｂの反射率の違いにより構成されている。
【００６０】
これによって、発光素子を通る光軸上の発光輝度が大きく、光軸から離れた裾部での発光輝度が小さい光源部と、発光素子を通る光軸上の発光輝度が、当該光源部での光軸上の発光輝度よりも小さく、光軸から離れた裾部での発光輝度が、当該光源部の光軸から離れた裾部での発光輝度よりも大きい光源部とを組み合せることによって光源部間の発光輝度低下が緩和され、結果的に光源部直上と光源部間の輝度差が緩和される。これによって、人間の視覚的な画面上での輝度ムラを抑制することができる。さらに説明すると、白レジスト６Ａ，６Ｂの反射率の違いにより光拡散レンズ５からの輝度分布（明暗コントラスト）を意図的に調整制御して明部８と暗部７を相殺して輝度ムラを大幅に抑制することができる。また、本実施形態１の液晶表示装置２０によれば、画面全体にわたって発生した筋状の輝度ムラを解消することができて、面光源の品位を向上させることで、表示品位を向上させることができる。したがって、面光源の輝度ムラを抑制して面光源の表示品位を向上させることができる。さらに、光源部直上と光源部間の輝度差が緩和されて画面上での輝度ムラを抑制することができることから、ＬＥＤ４のピッチ間隔を広げることもでき、結果的に、ＬＥＤ４を含む光源部の数を減らすこともできる。
【００６１】
なお、本実施形態１では、光源部光の輝度ピーク値が高く明暗コントラスト差が大きい発光素子モジュール２Ａと光源部光の輝度ピーク値が低く明暗コントラスト差が小さい発光素子モジュール２Ｂとが交互に配置されている場合について説明したが、これに限らず、発光素子モジュール２毎に、輝度ピーク値が高く明暗コントラスト差が大きい光源部と輝度ピーク値が低く明暗コントラスト差が小さい光源部とが交互に配置されており、複数の光源部が平面視でマトリクス状に配置されていても、光源部光の輝度ピーク値が高く明暗コントラスト差が大きい発光素子モジュール２Ａと光源部光の輝度ピーク値が低く明暗コントラスト差が小さい発光素子モジュール２Ｂとが交互に配置されている場合と同様、面光源の輝度ムラを抑制して面光源の表示品位を向上させる作用効果を奏するものである。
【００６２】
要するに、複数の光源部が行方向と列方向にマトリクス状に配置された場合に、行毎または列毎に、輝度ピーク値が高く明暗コントラスト差が大きい光源部と輝度ピーク値が低く明暗コントラスト差が小さい光源部とが交互に配置されていればよい。
【００６３】
なお、本実施形態１では、上記光源部は、発光素子としてのＬＥＤ４およびその上に被せた光拡散レンズ５に加えて、光拡散レンズ５直下のプリント配線基板３上に設けられた反射材としての白レジスト６Ａ，６Ｂを有し、輝度ピーク値が高く明暗コントラスト差が大きい光源部と輝度ピーク値が低く明暗コントラスト差が小さい光源部は、白レジスト６Ａ，６Ｂの反射率の違いにより構成されている場合について説明したが、これに限らず、反射材として反射率が異なる反射シートを光拡散レンズ５直下のプリント配線基板３上に設けてもよい。また、反射率の異なる白レジスト６Ａ，６Ｂは、白レジストの塗布回数によって設定してもよいし、白レジストの材質を反射率に応じて変更してもよい。
【００６４】
（実施形態２）
上記実施形態１では、平面視で複数の光源部が行方向と列方向にマトリクス状に配置された場合に、行毎または列毎に、輝度ピーク値が高く明暗コントラスト差が大きい光源部と輝度ピーク値が低く明暗コントラスト差が小さい光源部とが交互に配置されている場合について説明したが、本実施形態２では、行毎または列毎に、輝度ピーク値が高く配光角度（光指向性）が狭い光源部と輝度ピーク値が低く配光角度（光指向性）が広い光源部とが交互に配置されている場合について説明する。
【００６５】
即ち、上記実施形態１の輝度ピーク値が高く明暗コントラスト差が大きい光源部と輝度ピーク値が低く明暗コントラスト差が小さい光源部に代えて、配光角度（光指向性）が狭い（狭い配光特性）光源部と配光角度（光指向性）が広い（広い配光特性）光源部を用いる点が上記実施形態１の場合と異なっている。配光角度（光指向性）が狭い光源部と配光角度（光指向性）が広い光源部は、上記実施形態１の輝度ピーク値が高く明暗コントラスト差が大きい光源部と輝度ピーク値が低く明暗コントラスト差が小さい光源部の場合と同様に、第１の輝度ムラとしての明部による格子状ムラが生じる光源部と、第２の輝度ムラとしての明部による斜め状ムラが生じる光源部である。平面視で複数の光源部が行方向と列方向にマトリクス状に配置された場合に、行毎または列毎に、明部による格子状ムラが生じる光源部と明部による斜め状ムラが生じる光源部とが交互に配置されて、第１の輝度ムラとしての格子状ムラと第２の輝度ムラとしての斜め状ムラとが互いに相殺されて緩和されるように構成されている。
【００６６】
図７は、本発明の実施形態２におけるＬＥＤ光源装置を組み込んだ液晶表示装置の要部構成例を模式的に示す一部縦断面図およびこれに対応した位置に応じた輝度を示す図である。図８は、配光角度が狭い光源部を説明するための液晶表示装置の要部構成例を模式的に示す一部縦断面図である。図９は、配光角度が広い光源部を説明するための液晶表示装置の要部構成例を模式的に示す一部縦断面図である。なお、図７〜図９では、図２の構成部材と同一の作用効果を奏する構成部材には同一の部材番号を付して説明する。
【００６７】
図７〜図９において、本実施形態２の液晶表示装置２０Ｃにバックライトとして用いたＬＥＤ光源装置１１では、発光素子としてのＬＥＤ４およびこれを覆う光拡散レンズ５を上記光源部とし、配光角度（光指向性）が狭い光源部と配光角度（光指向性）が広い光源部は、図８の光拡散レンズ５Ｃの複数（ここでは３本）の主柱部５ａ１と、図９の光拡散レンズ５Ｄの複数（ここでは３本）の主柱部５ａ２との長さの違いにより構成されている。図８の光拡散レンズ５Ｃの複数（ここでは３本）の主柱部５ａ１は、図９の光拡散レンズ５Ｄの主柱部５ａ２に比べて足の長さが長い。このため、図９の光拡散レンズ５Ｄの場合に比べて、ＬＥＤ４の光出射部が光拡散レンズ５Ｃの下面凹部に対して下側にあるため、その輝度分布は、配光角度（光指向性）が狭くなっている。即ち、図８の足の長い光拡散レンズ５Ｃによって配光角度（光指向性）が狭く、図９の足の短い光拡散レンズ５Ｄによって配光角度（光指向性）が広がっている。ＬＥＤ４からの全体の光量は同じであるので、光拡散レンズ５Ｄによって配光角度（光指向性）が広がった分だけ、図９の足の短い光拡散レンズ５Ｄからの輝度ピークは、図８の足の長い光拡散レンズ５Ｃからの輝度ピークよりも低くなっている。
【００６８】
本実施形態２では、配光角度（光指向性）が狭い一または複数の光源部を有する発光素子モジュールとしてのＬＥＤモジュール２Ｃと、このＬＥＤモジュール２Ｃに比べて配光角度（光指向性）が広い一または複数の光源部を有する発光素子モジュールとしてのＬＥＤモジュール２Ｄとが互いの輝度ムラを相殺されて互いの輝度ムラを緩和するように基板単位で交互に配置されている。光源部は、ＬＥＤ４および、光拡散レンズ５Ｃまたは５Ｄを有し、配光角度（光指向性）が狭い光源部と配光角度（光指向性）が広い光源部は、光拡散レンズ５Ｃまたは５Ｄの足（主柱部５ａ１，５ａ２）の長さの違いにより構成されている。
【００６９】
以上により、本実施形態２によれば、配光角度（光指向性）が狭い一または複数の光源部を有するＬＥＤモジュール２Ｃと、配光角度（光指向性）が広い一または複数の光源部を有する発光素子モジュール２Ｄとが交互に配置されているため、発光素子を通る光軸上の発光輝度が大きく、光軸から離れた裾部での発光輝度が小さい光源部と、発光素子を通る光軸上の発光輝度が、当該光源部での光軸上の発光輝度よりも小さく、光軸から離れた裾部での発光輝度が、当該光源部の光軸から離れた裾部での発光輝度よりも大きい光源部とを組み合せることによって光源部間の発光輝度低下が緩和され、結果的に光源部直上と光源部間の輝度差が緩和されるため、人間の視覚的な画面上での輝度ムラを抑制することができて、面光源の表示品位を向上させることができる。また、光源部直上と光源部間の輝度差が緩和されて画面上での輝度ムラを抑制することができることから、ＬＥＤ４のピッチ間隔を広げることもでき、結果的に、ＬＥＤ４を含む光源部の数を減らすこともできる。
【００７０】
なお、本実施形態２では、配光角度（光指向性）が狭い一または複数の光源部を有するＬＥＤモジュール２Ｃと、配光角度（光指向性）が広い一または複数の光源部を有するＬＥＤモジュール２Ｄとが交互に配置されている場合について説明したが、これに限らず、発光素子モジュール２毎に、配光角度（光指向性）が狭い光源部と配光角度（光指向性）が広い光源部とが交互に配置されていてもよく、これらの複数の光源部が平面視でマトリクス状に配置されていても、配光角度（光指向性）が狭い一または複数の光源部を有するＬＥＤモジュール２Ｃと、配光角度（光指向性）が広い一または複数の光源部を有するＬＥＤモジュール２Ｄとが基板単位で交互に配置されている場合と同様、面光源の輝度ムラを抑制して面光源の表示品位を向上させる作用効果を奏する。
【００７１】
要するに、複数の光源部が行方向と列方向にマトリクス状に配置された場合に、行毎または列毎に、配光角度（光指向性）が狭い光源部と配光角度（光指向性）が広い光源部とが交互に配置されていればよい。
【００７２】
なお、本実施形態２では、配光角度（光指向性）が狭い光源部と配光角度（光指向性）が広い光源部は、光拡散レンズ５の複数の主柱部５ａの足の長さの違いにより実現したが、これに限らず、配光角度が狭い光源部と配光角度が広い光源部は、光拡散レンズ５の複数の主柱部５ａの長さとは別に、または、光拡散レンズ５の複数の主柱部５ａの長さと共に、光拡散レンズ５の厚さおよび形状のうちの少なくともいずれかの違いによっても構成することができる。
【００７３】
また、配光角度（光指向性）が狭い光源部と配光角度（光指向性）が広い光源部は、光拡散レンズ５の複数の主柱部５ａの足の長さの違いにより実現したが、これに限らず、配光角度（光指向性）が狭い光源部と配光角度（光指向性）が広い光源部を、発光素子としてのＬＥＤ４内の一または複数の発光部の高さの違いにより構成することもできる。
【００７４】
例えば図１０（ｂ）に示すようにＬＥＤ４ａ内の一または複数の発光部の高さｄ１が、例えば図１０（ｃ）に示すようにＬＥＤ４ｂ内の一または複数の発光部の高さｄ２よりも高いことによって、ＬＥＤ４ａ内の発光部がＬＥＤ４ｂ内の発光部に比べて光拡散レンズ５に接近するため、本実施形態２で光拡散レンズ５の複数の主柱部５ａの足の長さを短くして配光角度（光指向性）が広い光源部を実現した場合と同様の効果を奏する。要するに、図１０（ｂ）に示すＬＥＤ４ａを用いて配光角度（光指向性）が広い光源部とし、図１０（ｃ）に示すＬＥＤ４ｂを用いて配光角度（光指向性）が狭い光源部とすることができる。
【００７５】
したがって、本実施形態２のように、発光部の高さが高いＬＥＤ４ａによって配光角度（光指向性）を広く設定した一または複数の光源部を有する発光素子モジュールとしてのＬＥＤモジュール２Ｅと、発光部の高さが低いＬＥＤ４ｂによって配光角度（光指向性）を狭く設定した一または複数の光源部を有する発光素子モジュールとしてのＬＥＤモジュール２Ｆとが互いの性質が異なる輝度ムラを相殺して互いの輝度ムラを緩和するように基板単位で交互に配置されることにより、面光源の輝度ムラを抑制して面光源の表示品位を向上させることができる本発明の目的を達成することができる。またこれに代えて、発光素子モジュール２毎に、ＬＥＤ４ｂ、４ａによる配光角度（光指向性）が狭い光源部と配光角度（光指向性）が広い光源部とが交互に配置されていても本発明の目的を達成することができる。
【００７６】
さらに、前述したように、配光角度（光指向性）が狭い光源部と配光角度（光指向性）が広い光源部を、発光素子としてのＬＥＤ４内の一または複数の発光部の高さの違いにより構成する場合の他に、光源部は、発光素子としてＬＥＤ４を有し、配光角度が狭い光源部と配光角度が広い光源部は、ＬＥＤ４から光が出射される樹脂封止部の形状の違いにより構成されていてもよい。ＬＥＤ４から光が出射されるドーム状の封止部は青色発光を白色に変える蛍光体が充填されていると共に、光を所定方向に絞って出射するためのレンズ部を兼ねている。
【００７７】
なお、上記実施形態１，２では、白レジスト６Ａ，６Ｂや反射シートの反射率の違いを用いた輝度ピーク値が高く明暗コントラスト差が大きい光源部と輝度ピーク値が低く明暗コントラスト差が小さい光源部とを交互に配置する上記実施形態１の場合と、光拡散レンズ５Ｃ，５Ｄによって配光角度（光指向性）が狭い光源部と配光角度（光指向性）が広い光源部とを交互に配置する上記実施形態２の場合とを別々に説明したが、上記実施形態１、２を組み合わせて、面光源の輝度ムラを抑制して面光源の表示品位を向上させることができる本発明の目的を達成することができる。上記実施形態２では、配光角度（光指向性）が狭い光源部と配光角度（光指向性）が広い光源部とは、光拡散レンズ５Ｃの主柱部５ａ１を、光拡散レンズ５Ｄの主柱部５ａ２に比べて長く構成することより実現しているが、これに限らず、光拡散レンズの厚みや形状によっても、配光角度（光指向性）が狭い光源部と配光角度（光指向性）が広い光源部を実現することができる。また、上記実施形態１、２を組み合わせる場合に、例えば、反射率の違う白レジスト６Ａ，６Ｂや反射シートの上に、光拡散レンズ５の主柱部５ａを固定する場合と、反射率の違う白レジスト６Ａ，６Ｂや反射シートが設けられていない基板領域上に光拡散レンズ５の主柱部５ａを固定する場合とによっても、光拡散レンズ５の主柱部５ａの足の長さを変えた場合と同様の効果を得ることができる。もちろん、反射率が同じ白レジストや反射シート上とこれらのない基板領域上とに光拡散レンズ５を搭載する場合（介在物を挟むか挟まないか）であっても、上記実施形態２の場合のように、光拡散レンズ５の主柱部５ａの足の長さを変えた場合と同様の本発明の効果を得ることができる。
【００７８】
なお、上記実施形態１、２では、発光素子としてＬＥＤ４を用いたＬＥＤ光源装置１，１１，１２について説明したが、発光素子としてレーザ素子と蛍光体との組み合わせでもよい。
【００７９】
以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８０】
本発明は、光源部として複数の発光ダイオード（ＬＥＤ）が実装されたＬＥＤモジュールなどが複数用いられた光源装置および、この光源装置がバックライトとして用いられた液晶表示装置の分野において、発光素子を通る光軸上の発光輝度が大きく、光軸から離れた裾部での発光輝度が小さい光源部と、発光素子を通る光軸上の発光輝度が、当該光源部での光軸上の発光輝度よりも小さく、光軸から離れた裾部での発光輝度が、当該光源部の光軸から離れた裾部での発光輝度よりも大きい光源部とを組み合せることによって光源部間の発光輝度低下が緩和され、結果的に光源部直上と光源部間の輝度差が緩和されるため、人間の視覚的な画面上での輝度ムラを抑制することができて、面光源の表示品位を向上させることができる。また、このように、光源部直上と光源部間の輝度差が緩和されて画面上での輝度ムラを抑制することができるため、発光素子のピッチ間隔を広げることもでき、結果的に、光源部の数を減らすこともできる。
【符号の説明】
【００８１】
１、１１、１２  ＬＥＤ光源装置（光源装置）
２  ＬＥＤモジュール（発光素子モジュール）
２Ａ  輝度が高く明暗コントラスト差が大きく設定されたＬＥＤモジュール
２Ｂ  輝度が低く明暗コントラスト差が小さく設定されたＬＥＤモジュール
２Ｃ、２Ｆ  配光角度が狭く設定されたＬＥＤモジュール
２Ｄ、２Ｅ  配光角度が広く設定されたＬＥＤモジュール
３  プリント配線基板
４、４ａ、４ｂ  ＬＥＤ（発光素子）
５、５Ｃ、５Ｄ  光拡散レンズ（レンズ）
５ａ、５ａ１、５ａ２  支柱部
５ｂ  拡散パターン
６  反射シート
６ａ  傾斜面
６Ａ  反射率の高い白レジスト
６Ｂ  反射率の低い白レジスト
２０、２０Ｃ、２０Ｅ  液晶表示装置
２１  光学シート
２２  光透過型液晶パネル
７，７Ａ、７Ｂ  暗部
８  明部
９  シャーシ（筐体）
【図１】
0006025309.tif 000002
【図２】
0006025309.tif 000003
【図３】
0006025309.tif 000004
【図４】
0006025309.tif 000005
【図５】
0006025309.tif 000006
【図６】
0006025309.tif 000007
【図７】
0006025309.tif 000008
【図８】
0006025309.tif 000009
【図９】
0006025309.tif 000010
【図１０】
0006025309.tif 000011
【図１１】
0006025309.tif 000012
【図１２】
0006025309.tif 000013